(57)【要約】【課題】空気調和機における室外機本体の運搬用の取っ手は、室外機本体にネジで固定されていたもので、部品点数が増えることによるコストアップ、室外機本体の見栄えを悪くするという課題を有するものである。【解決手段】空気調和機の室外機本体２１の左右の側板２１ａ、２１ｂに既設された複数の吸気口２４を利用して室外機本体の運搬時に吸気口２４の桟２４ａに着脱する取っ手２７を運搬用工具とすることにより、製品の部品点数の低減、室外機本体の設置後の見栄えの向上を図ったものである。【選択図】  図２
2005009820.tif 000002
【特許請求の範囲】
【請求項１】
空気調和機の室外機本体の側板に既設された開口部を利用して室外機本体の運搬時に前記開口部の桟に着脱する運搬用工具としての取っ手であることを特徴とする空気調和機の室外機運搬用の取っ手。
【請求項２】
空気調和機の室外機本体の側板に既設された吸気口を利用して室外機本体の運搬時のみ、前記吸気口の桟に手掛け部を嵌合する着脱自在な運搬用工具としての取っ手であることを特徴とする空気調和機の室外機運搬用の取っ手。
【発明の詳細な説明】
【０００１】
【発明の属する技術分野】
本発明は、室外機本体の運搬時に使用する空気調和機の室外機運搬用の取っ手に関するものである。
【０００２】
【従来の技術】
従来の空気調和機における室外機本体の運搬用の取っ手としては、室外機本体の左右の側板に取っ手をネジにより固定していたものがあった（例えば、特許文献１参照）。図４および図５は、特許文献１に記載された空気調和機における室外機の取っ手を示すものである。
【０００３】
図４において、１は空気調和機の室外機本体で、２は左側板で、３は右側板で、４は前面カバ−で、５は室外機本体１内に収納されたＬ字形の室外熱交換器で、６は圧縮機である。左右の側板２、３は金属板で製作され、室外熱交換器５を通過させるための空気を吸引する略長方形状の吸気口７が全面に配設され、前面カバ−４には排気口８が配設されている。
【０００４】
また、室外機本体１の運搬用の取っ手９は、室外機本体１に取りつけたまま出荷する専用のもので、左右の側板２、３の略中央上部に配設されている。すなわち、図５に示すように、取っ手９は表側に突出した手掛け部９ａと手掛け部９ａの上下に位置して裏側に突出した複数の係合片９ｂ、９ｃとネジ孔９ｄを有し、一方、室外機本体１の左右の側板２、３の略中央上部に位置する上から二つの吸気口７を取っ手取り付け用の開口部７ａ、７ｂとするため、取っ手９の上下の係合片９ｂ、９ｃがそれぞれ係合する複数の被係合片７ｃ、７ｄとネジ孔１０を設けている。
【０００５】
そして、取っ手９は係合片９ｂと係合片９ｃを、室外機本体１における開口部７ａの被係合片７ｃの間、および開口部７ｂの被係合片７ｄの間から、室外機本体１内に入れて横方向へスライドさせて係合片９ｂを被係合片７ｃの裏面に、係合片９ｃを被係合片７ｄの裏面に位置させて係合させ、さらに一致したネジ孔９ｄ、１０にネジ１１を螺合して図４に示すように取り付けている。図中、７ｅは補強曲げ部である。
【０００６】
しかしながら、上記従来の構成では室外機本体１の運搬時だけに使用する取っ手９が、空気調和機の設置後でも室外機本体１の左右側板より突き出たままで見栄を悪化させるだけでなく、それだけ設置スペースが必要になるとともに、室外機本体１の左右の側板２、３にネジ１１で固定しているため、製品の部品点数が増えることによる製品価格のアップと、さらには、吸気口７としての左右の側板２、３の略中央上部に位置する上から二つの吸気口７を取っ手取り付け用の開口部７ａ、７ｂとして使用されるので、その分の吸気面積を他の吸気口７で確保するか、取っ手９を取り付けた開口部７ａ、７ｂの部分が取っ手９により塞がれないように構造的に配慮する必要が生じる等で取っ手取り付け構造が複雑になる問題点を有していた。
【０００７】
【特許文献１】
特開２００１−２０８３７７号公報
【０００８】
【発明が解決しようとする課題】
上記従来の技術の問題点に鑑み、本発明が解決しようとする課題は、室外機本体を安価で、かつ見栄えを良くするだけでなく、取っ手取り付け構造を簡単にできる室外機運搬用の取っ手を提供することにある。
【０００９】
【課題を解決するための手段】
上記課題を解決するために本発明は、空気調和機の室外機本体の側板に既設された開口部を利用して室外機本体の運搬時に前記開口部の桟に着脱する運搬用工具としての取っ手とした空気調和機の室外機運搬用の取っ手である。
【００１０】
本構成によって、室外機本体の部品点数を低減することができて安価で、かつ見栄えを良くできるのはもちろん、取っ手取り付け構成を簡単にできる。
【００１１】
また、本発明は空気調和機の室外機本体の側板に既設された吸気口を利用して室外機本体の運搬時のみ、前記吸気口の桟に手掛け部を嵌合する着脱自在な運搬用工具としての取っ手とした空気調和機の室外機運搬用の取っ手である。
【００１２】
本構成によって、室外機本体の部品点数を低減することができて安価で、かつ見栄えを良くできるのはもちろん、室外機本体の設置スペースが少なくて済むことにより設置しやすくでき、さらには取っ手取り付け構成を簡単にできるとともに、取っ手を運搬用工具として保管することにより、室外機本体の生産工程、設置時等において何回でも利用できる経済的効果も得られる。
【００１３】
【発明の実施の形態】
本発明の目的は各請求項に記載した構成を実施の形態の要部とすることにより達成できるので、以下には請求項１および２に対応する一実施例についての詳細を、図１〜図３に基いて説明し本発明の実施の形態についての説明とする。
【００１４】
（実施の形態１）
図１は、本発明の実施の形態１における運搬用の取っ手を装着した時の状態を点線で示した空気調和機の室外機本体の斜視図で、図２は、同取っ手を室外機本体に装着した状態における図１のａ−ａ線の拡大縦断面図で、図３は同取っ手の斜視図である。
【００１５】
図１、図２および図３において、室外機と室内機とからなるセパレート形のヒートポンプ方式の空気調和機において、室外機本体２１は金属製のケースで構成され、内部に電動圧縮機２２、室外熱交換器２３等を内装し、かつケースの左右の側板２１ａ、２１ｂに三列に並べて、室外熱交換器５を通過させるための空気を吸引する開口部としての略長方形状の吸気口２４が全面に配設され、前面カバ−２１ｃには排気口２５が配設されている。２６は室外送風ファンで、２４ａは吸気口２４を構成する桟である。
【００１６】
２７は室外機本体２１の運搬の時だけ、室外機本体２１の左側板２１ａと右側板２１ｂに取り付けて使用する金属または合成樹脂の取っ手で、吸気口２４の桟２４ａに下側から嵌合する四本の指を手掛けする凹状の手掛け部２７ａと、この手掛け部２７ａより上方へ延設して左側板２１ａと右側板２１ｂの表側に相対向し、親指が当たる当接部２７ｂを有する。
【００１７】
そして、取っ手２７はそれぞれの使用者が室外機本体２１の持ち運びやすい位置の吸気口２４の桟２４ａに手掛け部２７ａを嵌合し、当接部２７ｂを左右の側板２１ａ、２１ｂの表側に位置させて運搬用の取っ手として使用し、運搬後は取外して次の室外機本体２１の運搬に使用するため運搬用工具として保管するものである。
【００１８】
従って、室外機本体２１は図１に示すように取っ手２７の無い状態で出荷されるものであるとともに、吸気口２４の総開口面積も、従来の技術で云う取っ手の取り付け専用の開口部として失われることがないから、既設の吸気口のままで良い簡単な構造にしているものである。
【００１９】
上記実施の形態において、使用者は四本の指を取っ手２７の手掛け部２７ａに掛け、親指を当接部２７ｂの上端に掛けて持った取っ手２７を、吸気口２４に差し込んで下側から上に持ち上げて手掛け部２７ａを吸気口２４の桟２４ａに嵌合して室外機本体２１を両手で持ち運ぶのである。そして、所定の位置に室外機本体２１を運搬したら取っ手２７の当接部２７ｂを押し下げて吸気口２４の桟２４ａから手掛け部２７ａを取り外して次の運搬に備えて運搬用工具として保管しておくのである。
【００２０】
以上のように本実施の形態では、空気調和機の室外機本体２１の運搬時に運搬用工具とした取っ手２７を、室外機本体２１の左右の側板２１ａ、２１ｂに既設された吸気兼用の開口部である吸気口２４を利用して容易に着脱できるので、従来例で室外機本体に固定されていた取っ手が不要となり、部品点数が低減でき安価な空気調和機を提供することができるとともに、室外機本体２１の運搬後の設置状態においても、取っ手が無くなったことにより取っ手２７が本体から突出することがなくなり見栄えが良くなるのはもちろん、設置スペースも少なくて済むことになり設置場所の選択幅が広くなり設置しやすくでき、さらに運搬用工具として何回でも取っ手を利用できる経済的な効果も得られる。
【００２１】
また、室外機本体２１の既設の吸気口２４には、取っ手２７を取り付けるための何らの加工も施すことがないので、吸気口２４の総開口面積を含めて取っ手の取り付けによる影響を与えることがないから、取っ手取り付け構造を簡単にできる。
【００２２】
さらに、取っ手２７は手掛け部２７ａを吸気口２４の桟２４ａに嵌合して着脱可能に取り付けるので、桟２４ａに手を掛ける場合よりも持ち易いとともに、桟２４ａをカバーして補強にもなる。
【００２３】
なお、上記実施の形態で取っ手２７は手掛け部２７ａを吸気口２４の桟２４ａに嵌合するが、凹状の手掛け部２７ａの弾性力を利用して桟２４ａを軽く挟み込む程度の嵌合にすれば、手の支えが不充分の場合でも即座に取っ手が外れることがなくなり、運搬時の取扱いをしやすくできる。
【００２４】
【発明の効果】
以上のように本発明は、空気調和機の室外機本体に固定されていた取っ手が不要となり、部品点数を低減でき安価な空気調和機を提供することができるとともに、室外機本体の運搬後の設置状態においても、取っ手が無くなり見栄えが良くなるのはもちろん、設置場所の選択幅も広がり設置しやすくでき、さらに取っ手取り付け構造も簡単にできる。
【図面の簡単な説明】
【図１】本発明の実施の形態１における取っ手を装着した時の状態を点線で示した空気調和機の室外機本体の斜視図
【図２】同実施の形態１における取っ手を室外機本体に装着した状態での図１のａ−ａ線の拡大縦断面図
【図３】同実施の形態１における室外機運搬用の取っ手の斜視図
【図４】従来例の取っ手を装着した室外機本体の斜視図
【図５】同室外機本体の取っ手装着部分の分解斜視図
【符号の説明】
２１  室外機本体
２１ａ、２１ｂ  側板（左右の側板）
２４  吸気口（開口部）
２４ａ  桟
２７  取っ手
２７ａ  手掛け部
【図１】
2005009820.tif 000003
【図２】
2005009820.tif 000004
【図３】
2005009820.tif 000005
【図４】
2005009820.tif 000006
【図５】
2005009820.tif 000007